(57)【要約】      （修正有）【課題】ひもが巻かれた市販のスプールから、作業者が移動せずに、又、道具を移動させずに、ひもを必要な長さだけ取り出すこと、及び、同作業を携帯先で可能とすること。【解決手段】市販のスプールからひもを巻き取る回転体1を持ち、回転体1に巻き取られるひもの長さを表示した卓上型、携帯型装置を提供する。【選択図】図１
0003101980.tif 000002
【実用新案登録請求の範囲】
【請求項１】
台８に、握り軸３又は回転軸１２を軸とした回転体１、及び、ひもの巻かれた市販のスプールを設置するスプール台５及び又はスプール軸１１、を取り付けた卓上型装置。
【請求項２】
回転体１とともに容易に台８から取り外せ、回転体１の軸となり、手で握ることによって台８から取り外した回転体１を保持する構造をした握り軸３。
【請求項３】
回転体１の回転量に相当する、回転体１に巻き取られるひもの略長さを表す表示。
【請求項４】
情報を書きとどめるための、請求項３の近傍に設けたスペース。
【請求項５】
ひもの巻かれた市販のスプールが置け、回転し過ぎないよう当市販スプールとの接触部に適度な摩擦を与える加工を施し、容易に台８から取り外すことのできるスプール台５
【考案の詳細な説明】
【考案の詳細な説明】
【技術分野】
【０００１】  本考案は、ひもの巻かれた市販のスプールからひもを取り出し、そのひもを必要な長さだけ巻き取る卓上型、及び、携帯型装置に関する。
【背景技術】
【０００２】  従来、ひもの巻かれた市販のスプールからそのひもを必要な長さだけ取り出す際、短い長さなら短いスケールを使って移動せずにひもを測りながら当市販のスプールから取り出すことができるが、長い長さの場合、人がひもの端を持ちスケールに沿って移動するか、或いは、長さの既知の棒状のものに合わせて棒を移動させながら当市販のスプールからひもを取り出していた。【０００３】  又、当技術分野における携帯型装置は無く、携帯先での同作業はできなかった。
【考案が解決しようとする課題】
【０００４】  ひもの巻かれた市販のスプールから必要な長さだけひもを取り出す際に、スケールに沿った人の移動、或いは、スケール代わりの棒の移動と云った煩雑とも感ずる作業を伴う問題点、携帯先での同取り出し作業ができない問題点があった。
【０００５】  本考案は、当市販のスプールから必要な長さだけひもを取り出す際、作業者が移動せず、道具も移動させないでひもを取り出すこと、及び、同様の作業を携帯先で可能とすることを目的としている。
【課題を解決するための手段】
【０００６】  回転とともに巻き取られるひもの略長さが表示されている装置の回転体に、ひもが巻かれた市販のスプールからひもを巻き取る。
【０００７】  回転体を所定の回転量回転させることによって、ひもを必要な長さだけ巻き取ることができる。
【０００８】  装置は容易に分解、組立ができ、携帯可能となる。
【考案を実施するための最良の形態】
【０００９】  考案の実施の形体を実施例に基づき図面を参照して説明する。
図１において、回転体１は、ひもがスムーズに巻かれるよう、又、巻かれたひもがはずれないよう、又、ひもの端を止めるよう加工を施した鍔が付いた円筒形であり、同時に複数本巻けるよう２連以上にし、回転させるに便利なようハンドル２を取り付け、回転の中心は軸が通るように穴を開け、堅く軽い材質とする。【００１０】  又、回転体１は、ひもの出てくる方向に向くことが可能なように、手で自由に向きが変えられる構造とする。【００１１】  回転体１のひもが巻かれている部分の円周の長さは、同直径が既知であるため、既知である。【００１２】  回転体１の適当な部分に、ひもが巻かれる部分の一回転未満の円周の長さを表示する。【００１３】  又、回転体１の適当な部分に、巻き取るひもの情報を書き留める為の加工を施す。【００１４】  握り軸３は、回転体１の軸であり、握り部分を手で握って保持することで回転体１を支え、つば１３とビス４の間に台８、及び、回転体１を通して回転体１がスムーズに回転する長さとする（図２参照）。【００１５】  スプール台５は、ひもの巻かれた市販のスプールの形状に合わせてボス、逃げ溝の加工を施し、巻かれているひもを引っ張ったとき当市販のスプールが回転し過ぎて余分のひもが出てしまわないよう当市販のスプールとの接触部分に適度の摩擦を与える加工を施し、台８から容易に取り外せるものとし、取り外して使用したとき簡単に動かない適当な重さの材質とする（図６参照）。【００１６】  回転体１の整数回転数をカウンター又は記憶から知り、その略巻き取り長さと、一回転未満の円周の表示から知った一回転未満分の略長さの加算値が、回転体１に巻き取られる略巻き取り長さである。
【実施例】
【００１７】  釣りの仕掛け作りにおいて、ハリスの巻かれた市販のスプールをスプール台５又はスプール軸１１に設置し、ハリスの端にちちわ結び等必要な作業を施し、回転体１の鍔に止め、ハンドル２を使って回転体１に必要な長さのハリスを巻き取り切断し、浮き止め通し、ハリまき等必要な作業を施す。【００１８】  次の仕掛けを作製するため、上記で切断した市販のスプール側のハリスの端に前記同様ちちわ結び等、必要な作業を施し、他の鍔に止め、回転体１のハリスの巻かれていない方の溝にハリスが巻かれるようハリスを位置させる。【００１９】  回転体１に巻き取られているハリスを手持ちの仕掛け巻きに巻き取ると、回転体１が前回の回転とは逆の方向に回転し、新たにハリスを巻き取る。【００２０】  ハリスを手持ちの仕掛け巻きに巻き終わると、新たに回転体１に巻き取られたハリスの長さは手持ちの仕掛け巻きに巻き取られたハリスの長さと略一致する。【００２１】  同様の作業を繰り返すことによって、略同じ長さの同じ仕掛けを作ることができる。【００２２】  同一作業を時を経て頻繁に繰り返す場合、必要な長さのひもを回転体１に巻き取り、ひもの種類、巻き取ったときの回転体１の整数回転数等を、巻き取ったひもの端が回転体１の位置する場所に印を付け、書きとどめる。【００２３】  この情報の書きとどめによって、次回、同様のひもの巻き取り作業をする場合、必要とするひもの長さを予め知る必要はなく、この情報に従って作業することによって必要な長さのひもが巻き取られる。【００２４】  本考案が携帯型としても使用できるため、釣行に携帯することによって釣行先での仕掛け作りが可能である。【００２５】  本考案は、図５に表した構造の卓上型装置によって、同時に複数本のひもを必要な長さだけ巻き取ることができる。
【考案の効果】
【００２６】  本考案は、以上説明したように構成され、扱われるので、以下に記載する効果を奏する。
【００２７】  市販のスプールに巻かれている長いひもを扱うので、作業によっては広い場所を必要とした。
【００２８】  しかし、本考案が当市販スプールの設置部分を含めた一体型の卓上型装置であるため、広い作業場所を必要としない。
【００２９】  本考案が携帯型としても使用できるため、携帯先での使用が可能である。
【図面の簡単な説明】
【図１】  ひもの巻かれた一つの市販のスプールを使用する卓上型装置例の斜視図である。
【図２】  図１におけるＡ−Ａの横断面図である。
【図３】  回転体一回転未満の、回転体のひもが巻かれる部分の周囲の長さを表す表示、及び、情報を書きとどめるためのスペースの例である。
【図４】  台８を取り外し、携帯型装置として使用する装置例の横断面図である。
【図５】  ひもの巻かれた複数の市販のスプールを使用する卓上型装置例の斜視図である。
【図６】  スプール台５の例である。
【符号の説明】
１  回転体
２  ハンドル
３  握り軸
４  ビス
５  スプール台
８  台
１１  スプール軸
１２  回転軸
１３  つば
１４  ガイド
【図１】
0003101980.tif 000003
【図２】
0003101980.tif 000004
【図３】
0003101980.tif 000005
【図４】
0003101980.tif 000006
【図５】
0003101980.tif 000007
【図６】
0003101980.tif 000008
【手続補正書】
【提出日】平成15年12月8日(2003.12.8)
【手続補正１】
【補正対象書類名】実用新案登録請求の範囲
【補正対象項目名】全文
【補正方法】変更
【補正の内容】
【実用新案登録請求の範囲】
【請求項１】
台（８）と、該台に回転自在に支持される回転体（１）と、前記台（８）に固定され、ひもの巻かれたスプールを回転自在に設置するスプール台（５）と、を有し、前記回転体（１）に巻き取り長さを示す目盛りを設けたことを特徴とするひも巻取装置。
【請求項２】
前記目盛りが、前記回転体（１）の右回り方向と左回り方向の双方向に設けられていることを特徴とする請求項１記載のひも巻取装置。